Podtech/llm-jp-corpus-v4-ja_patent huggingface dataset:
(57)【要約】      （修正有）【課題】合格祈願の縁起物としてのストラップ及びシールを提供する。【解決手段】ストラップ（１−４）に鵜雁鱒の姿形（１−１、１−２，１−３）を取り付ける。２は枡形へ変形させたもの、３はシール形状のものを示す。【選択図】なし【特許請求の範囲】
【発明の詳細な説明】
【技術分野】
【０００１】本発明は、いつの時代も、入進学や就職試験の時期を迎えると、各地にある、受験に受かりますようにの願いを叶えてくれる神社に、親や友達と一緒に祈願する受験生をよく見かける。祈願した後、絵馬等に願い事を書き、設置してある飾り場所に取り付け、境内にて、お守りやお札等縁起ものを買い求め、受験に備えるのであろう。
【背景技術】
【０００２】入進学や、就職合格祈願に、縁起の良いお守りとして、合格鵜雁鱒の姿形や桝のストラップ、絵．文字のシール等で出来ている。（１）合格鵜雁鱒の姿形を付けたストラップ（２）合格鵜雁鱒の鱒を枡に変えたストラップ。「枡の正面中央（符号２−１）を○くしてあるのは、出題文正解の意味」（３）合格鵜雁鱒の絵．文字の印刷したものを離形紙に貼り付けたシール紙を提供する。
【発明の開示】
【発明が解決しようとする課題】
【０００３】日本の各地に、受験に関わる「合格」「受かる」「落ちない」の言葉を使った縁起の良い、諸々の言葉や、地名や、品物等が数多くある。本考案の、合格鵜雁鱒は、各受験に合格することを願った縁起の良い「うかります」を、鳥の鵜と雁と魚の鱒を組み合わせた、［図１］（１）合格鵜雁鱒の姿形のストラップ（２）合格鵜雁枡（鱒）のストラップ（３）合格鵜雁鱒（枡）の絵．文字を印刷したものを離形紙に貼り付けたシール紙。使用方法として、一枚のずつ使用の場合は離形紙から剥がして、合格鵜雁桝の［図２］（６）（７）（８）（９）に示すように貼る。他に、ａ．絵馬の側面と底面。特に底面に貼ると、「ここから下には落ちない」意味もあり人気がでると思われる。ｂ．鉛筆ケース．定期券入れ等受験の時身に付ける携帯品に貼る。二枚重ねをして使用する場合、シール紙の糊面を貼り合わせ、お守り袋やポケットの中やいろんなところに入れる。又［図２］（４）（６）（８）に示すようにストラップの中間に付けたい時は、二枚を貼り合わせる時、ストラップを中に挟むように取り付けすればよい。【０００４】本発明を図面で説明する。
【図１】
【０００５】（１）合格鵜雁鱒の姿形ストラップ（２）合格鵜雁桝（鱒）のストラップ（３）合格鵜雁桝（鱒）絵．文字シール
【図２】
【０００６】（４）合格鵜雁桝の正面図（５）合格鵜雁桝の断面図（６）合格鵜雁桝の斜視図（７）合格鵜雁桝側面四面（８）合格鵜雁桝の斜視図（絵）（９）合格鵜雁桝側面四面（絵）
【課題を解決するための手段】
【０００７】日本の各地に、入進学や就職祈願を叶えてくれる神社がある。合格に関わる、お守り．絵馬等を買い求めて、受かります様にと、神にお祈りする受験生や親子連れのために、勇気と希望を与えてくれる縁起の良い、合格鵜雁鱒の姿形ストラップ．合格鵜雁桝のストラップ．合格鵜雁鱒と鵜雁桝の絵．文字があったならば、遠方からでも、祈願と合格鵜雁鱒（枡）のストラップやお守り等を買い求めに来るだろう。尚．合格鵜雁鱒の姿形．桝．シール紙はストラップに限らずキーホルダー．ブローチ等にも利用できる。
【発明の効果】
【０００８】本発明の、合格鵜雁鱒（枡）等を受験の時身に付けて、学校や塾等で学んだ事を、心を落ち着かせ、冷静になって出題文と取り組んだならば、必ず合格できる勇気と希望が湧いてくると思う。
【図面の簡単な説明】
【０００９】
【図１】本発明の実施形態を示す合格鵜雁鱒（枡）の姿形と斜視のストラップ．シールの絵文字外観図
【図２】同鵜雁枡の正面図．断面図．斜視図．側面の絵文字平面図
【符号の説明】
【００１０】１−１      鵜
１−２      雁
１−３      鱒
１−４      ストラップ
１−５      リング金具
２          正面鵜雁枡
２−１      正面○削り合格文字
２−２      同○削り側面
２−３      裏面鵜雁桝
２−４      ストラップ止金具
２−４−１  鵜雁枡側面合格
２−４−２  鵜雁枡側面鵜
２−４−３  鵜雁枡側面雁
２−４−４  鵜雁枡側面桝
２−４−５  鵜雁枡側面鵜絵
２−４−６  鵜雁枡側面雁絵
２−４−７  鵜雁枡側面桝絵
３−１      合格鵜雁鱒シール
３−２      合格鵜雁枡シール
３−３      合格鵜雁枡絵シール
３−４      合格うりますシール
３−５      合格ウカリマスシール
３−６      離形紙
【図１】
2007229410.tif 000002
【図２】
2007229410.tif 000003
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
日本の各地にある、受験に関わる神社に、受験の時期になると、合格しますようにと祈願する親子づれや受験生同志をよく見かける。合格のお守りや、お札等縁起ものを買い求め、絵馬には願い事を書き、境内の指定の場所に飾り付けている。その時、本発明の、１．合格鵜雁鱒２．合格鵜雁枡（鱒）３。合格鵜雁鱒（枡）シール紙（絵．文字）等を身に付けて、合格祈願を神社の神様に向かって参拝することにより、必ず合格する気持ちになれるを提供するものである。
【請求項２】
請求項１の１．合格鵜雁鱒の姿形を特徴とするストラップ。
【請求項３】
請求項１の２．合格鵜雁枡（鱒）鱒を枡に変形を特徴とするストラップ。
【請求項４】
請求項１の３．合格鵜雁鱒（枡）絵．文字シール紙ａ．枡の側面．ストラップに貼り付け。ｂ．財布．定期券．お守袋．物入れ等直接貼り付けたり、両面張り合わせて使用するを特徴とする。
(57)【要約】【課題】収容体の分解・組み立てを行うことがなく、熱源（線香）への操作を行うことなく一定の熱量を得ることができ、温めながら心地良い刺激を与えることが容易な、シンプルな構成の温熱刺激用具を提供する。【解決手段】線香５を直接収納体１に接触させることにより、一定の熱量を得ることができるようにし、収納体１の空気穴側端４を曲面状にすることにより心地良い刺激を生体に与えられるようにした。収納体１の空気穴側端４付近は熱くなるため、収納体１の外周にカバーを装着した。【選択図】図２
2007229409.tif 000002
【特許請求の範囲】
【請求項１】
一端部側に熱源（線香）を入れるための開口部を設け、他端部側は曲面状に形成されており、曲面状に形成されている他端部側に近接して、熱源に空気を送るための空気穴を複数設けた収納体である。収納体の外周には、カバーを装着している。
【発明の詳細な説明】
【技術分野】
【０００１】本発明は、線香による温熱刺激と、収納体によるマッサージ・指圧様の刺激により、局所および全身の状態を改善させる温熱刺激用具に関するものである。
【背景技術】
【０００２】従来は、もぐさやお灸を使うものがあったり、線香の収納体が組み立て式になっていたり、線香がばねやホルダ等で固定され位置を調節するものがあったり、生体に接触する部分が二股になっているものがあったりした。
【特許文献１】実開平６−４１７１７
【特許文献２】実開平６−４１７１８
【特許文献３】昭５６−１０６７４７  （実用新案）
【特許文献４】昭５３−１０５９５    （実用新案）
【特許文献５】実用新案登録第３５２３６３号
【発明の開示】
【発明が解決しようとする課題】
【０００３】従来は、
もぐさやお灸や線香を入れ替えるたびに収納体を分解し、組み立て直さなければならなかった。
線香の位置を調節しなければならなかった。
温めながら心地良い刺激を与えるのに適した形ではなかった。
【課題を解決するための手段】
【０００４】線香５を入れる収納体１は、線香５を保持するような構造を持たず、線香５の燃焼部６が直接収容体１に接するようにした。また、収納体１が生体に接する空気穴側端４は曲面状に形成し、開口部３からは線香を入れるだけというシンプルな形にした。
【発明の効果】
【０００５】線香装着時の収納体の組み立ての手間、温度調節の際の線香の位置移動などの手間がなくなった。
一定の熱量を得ることが出来るようになった。
線香を、収容体の生体接触側に直接接触させることにより、収容体はかなりの高温を得ることもでき、収容体と生体との間に布など（薄い物〜厚手の物）を置くことにより、好みの温度を与えることができるようになった。もちろん、線香の太さによっても温度調節が可能である。
温めながら、心地良い刺激を与えることが出来るようになった。
また、線香を燃焼させると煤などで収容体などが汚れてしまうが、シンプルな形にしたことで掃除が楽になった。
【発明を実施するための最良の形態】
【０００６】収納体１の開口部３から、燃焼部６が空気穴側にくるように線香５を入れる。空気穴側端４で生体をマッサージするように、収容体１を片手で持ち動かす。
【図面の簡単な説明】
【０００７】
【図１】    本発明の正面図である
【図２】    線香を入れた時の本発明の断面図である。
【図３】    本発明の使用状態を示す図である。
【符号の説明】
【０００８】    １  収納体
２  空気穴
３  開口部
４  空気穴側端
５  線香
６  燃焼部
７  カバー
【図１】
2007229409.tif 000003
【図２】
2007229409.tif 000004
【図３】
2007229409.tif 000005
(57)【要約】【課題】本発明は、フィットネス用自転車をペダリングする際に、下肢の動きを内外反しないように誘導することにより、下肢における機能の改善や筋活動の促進を促すことができるペダリング時の下肢の誘導装置に関するものである。【解決手段】フィットネス用自転車のペダルに、下肢誘導装置を連結する取り付け具を装着し、下肢誘導装置を連結させる。その下肢誘導装置と下肢をバンドで連結することによってペダリング時に下肢の動きを誘導する。【選択図】図１
2007229408.tif 000002
【特許請求の範囲】
【請求項１】
ペダルに下肢誘導装置を接続させる取り付け具は、ビスやボルトなどでペダルへ固定し、内端上方に連結部を設け、下肢誘導装置が前後に自由に移動できるように連結する。この下肢誘導装置の上方でマジックテープ（商標登録）によって周径を調節できるバンドを用いて下肢へ連結させ、ペダリング時には下肢が内外反しないようにすることができるペダリング時の下肢誘導装置に関するものである。
【発明の詳細な説明】
【技術分野】
【０００１】本発明は、フィットネス用自転車のペダルに下肢を誘導する装置を取り付けることにより、トレーニングやリハビリテーション時に正常なアライメントでペダリングできるようにしたものである。
【背景技術】
【０００２】従来、フィットネス用自転車には、足部を上から押さえるバンドや靴底とペダルを固定することで、下肢との一体性を高めていた。しかし、下肢全体のアライメントを考慮したものではなかった。
【発明の開示】
【発明が解決しようとする課題】
【０００３】従来のペダルに足部を固定する方法だけでは、筋力が足りない女性や高齢者、疾患がある場合などには、正常なアライメントでペダリングをすること、つまり正常な筋活動を行うことができず、トレーニングやリハビリテーションを行なっても目的とする効果が得られなかった。本発明は、これらの欠点を解決するために発明されたものである。
【課題を解決する手段】
【０００４】ビスやボルトでペダルに固定した取り付け具を介して連結された誘導装置は、バンドを介して下肢に連結することによって、正常なアライメントを保ちながらペダリングすることができる。
【発明の効果】
【０００５】本発明を使用することによって、筋力不足やアライメント不良の人でも下肢が内外反をしない。つまり、正常なアライメントでトレーニングやリハビリテーションを行うことができる。
【発明を実施するための最良の形態】
【０００６】以下、本発明の実施の形態について説明する。
（イ）      フィットネス用自転車のペダル（８）に、下肢誘導装置（１）と連結する取り付け具（２）をビスやボルト（４）で固定する。
（ロ）      取り付け具の内端上方に連結部（６）を設け、下肢誘導装置（１）を前後に可動できるようにボルト（７）で連結する。
（ハ）      下腿部（９）と下肢誘導装置（１）をバンド（３）で巻き付け、マジックテープ（登録商標）（５）で固定する。
本発明は、以上のような構成により成り立っている。本発明を使用するには、下肢誘導装置と取り付け具の連結部付近に内くるぶしを合わせ、下肢誘導装置と下腿部をバンドで連結すると、下肢が内外反せずに正常なアライメントでペダリングを行うことができる。
【図面の簡単な説明】
【０００７】
【図１】本発明の斜視図である。
【図２】本発明の前面断面図ある。
【図３】本発明の使用状態を示した正面図である。
【符号の説明】
【０００８】  １．下肢誘導装置
２．取り付け具
３．バンド
４．ビスまたはボルト
５．マジックテープ（登録商標）
６．連結部
７．ボルト
８．ペダル
９．トレーニング者下半身部
１０．フィットネス用自転車
【図１】
2007229408.tif 000003
【図２】
2007229408.tif 000004
【図３】
2007229408.tif 000005
(57)【要約】      （修正有）【課題】新聞や牛乳配達をする人や足上がりが悪く、歩行に支障をきたしている方たちの歩行補助具を提供する。【解決手段】体格に合わせ、別個に単独で独立したゴム又はバネの伸縮自在物体を肩から足首のあたり又は足首より少し上あたりまで設け、伸縮力操作を土踏まずに履く構造とする。その伸縮物体を土踏まずにはいて歩行することにより体重は交互の足に負荷が加わり、単独で独立している伸縮自在物体は、体重負荷と連動して足に伝わるので負荷のときは伸縮物体は伸びて、足を上げた無負荷のときは縮まる。その伸縮自在の反発力を活用して足上がりを楽にする。ゴム又はバネ等の伸縮物は肩から足首辺りにＵターンさせ両足の土踏まずに履いたならば、次に足、膝、腿、腰をバンド９で長短調整装置８で調整してとめる、その人の状態によりバンド固定個所は増減してもなんら差し支えは無い。【選択図】図２
2007229432.tif 000002
【特許請求の範囲】
新聞や牛乳配達をする人や、足が悪くなって歩行するのに支障をきたしている人達の体格に合わせ、別個に単独で独立したゴム又はバネ等の伸縮自在物体を肩から足首辺りまで設け、伸縮力操作を足踏まずに履く構造とする。  その伸縮自在物体を足踏まずに履いて歩行することにより体重は交互の足に負荷がかかり、単独で独立している伸縮自在物体は体重負荷と連動して足に伝わるので負荷のときは伸縮物体が伸びて、足を上げた無負荷のときは縮まる、その伸縮自在の反発力を活用して足上がりを楽にすることを特徴とした「反発力活用足上がり楽チン伸縮自在装置」。
【発明の詳細な説明】
【０００１】  新聞や牛乳配達をしている人や、足上がりが悪くなって、歩行するのに支障をきたして歩くことが苦痛でたまらないなどという方たちの話を聞くたびに、何とかよい方法はないものだろうかと本発明者は不眠不休で研究を重ねた。  その結果本発明者は、安価で手っ取り早く、しかも仰々しい補助具などを全用いることなく、通常体で使用ができその上本人も体に支障負担が生じないので歩くことが楽しくなり、且つ健康維持にはこの上も無いという全く新規なる「反発力活用足上がり楽チン伸縮自在装置」なるものを、この世に初めて発明をした。  本日ここに、その発明の原理とメカニズムを発表するものである。  まずは歩行するのに支障をきたしている人たちの体格に合わせ、別個に単独独立したゴム又はバネ等の伸縮自在物体を肩から足首のあたり、又は足首より少し上あたりまで設け、伸縮力操作を足踏まずに履く構造とする。  その伸縮物体を足踏まずに履いて歩行することにより体重は交互の足負荷が加わり、単独で独立している伸縮自在物体は、体重の負荷と連動して体重負荷と連動して足に伝わるので負荷が加わったときは伸縮物体、足を上げ無負荷のときは縮まる、その伸縮自在の反発力を活用して足上がりを快適にすることを特徴としたものである。  次に伸縮物体のゴム又はバネなどは肌触りが良いように布などでトンネル状にして内部にゆとりを持った状態で収納する、長さもゴム又はバネ等の長さとトンネルの長さが同じであればゴムやバネなどは伸縮できないのでトンネル状の布の長さは伸縮物体が伸びでも充分余裕がある長さとし伸縮物を装着した人の体格に合わせゴム又はバネならびに押さえバンドの長短を調整できる個所を数箇所設ける構造とする。  図１で示す本発明を図２、図３、で示すようにゴム又はバネ等の伸縮物は肩から足首辺りにＵターンさせ両足の足踏まずに履いたならば、次に足、膝、腿、腰を（９）のバンドを（８）の、調整装置で固定する、上記の足を右足とすれば反対側の左足の伸縮物体も同じ構造とする。  次に伸縮物体のゴム又はバネ等は肌触りが良いように布等でトンネル状にした内部に収納する、トンネル状の布等はゴム又はバネが伸縮作用に支障の無いように内部ならびに長さはゴム又はバネ等長さと布などの長さが同じではゴム等が伸縮出来ないのでトンネル状の布の長さはバネ等が伸びても充分余裕がある長さとし、伸縮物体は装着した一部に体格に合わせて調整できる構造とする。  図１で示す本発明を図２、図３、で示すようにゴム又はバネなどの伸縮物は肩から足首辺りにＵターンして調整してある伸縮物を両足の足踏まずに履いたならば、次に（９）のバンドで足、膝，腿を（８）の長短調整装置で調整してバンドで固定する、その人の状態によりバンドの固定個所は増減してもなら差し支えは無い。  固定バンドはトンネル外部の内側に（１０）の案内溝を通して足、膝、腿、腰、を固定するのでゴム又はバネなどは完全に独立しているのでトンネル内でなんに支障も無く伸縮作用を繰り返すこととなる。  このように出来ている本発明を着用して歩行を開始して右足を突いて左足を上げれば、肩から足踏まずまでの長い伸縮肯定を得てくる反発力の力で左足は何の支障も無く軽く上昇する、このことを両足で繰り返しして歩いてい��ば、足の負担はなくなるので、足上がりが悪くて歩くことが難儀で仕方が無いなどということは完全に解消できるものである。  バンドはトンネル外部に設置するがトンネル内部はゴム又はバネ等が伸縮するのに支障をきたさないように充分な余裕がある構造とする。  図２、図３、図４、は本発明のメカニズムが誰が見てもわかるように上着の上から着用した図面であるが、これを下着の上に上着とズボンを着用すれば、どこから見てもわからない。  このような構造に出来ている本発明の「反発力活用足上がり楽チン伸縮自在装置」はゴム又はバネなどを肩から足踏まずまでの長い伸縮肯定を得て、体の全体での体重と脳（前頭葉）の指令で足を上げ下げさせるのでなんら負担をかじることなく自然体で楽しく歩行することが出来ることは言うまでも無いが、健康の壷とも言われている足裏の土踏まず部分は常に程よい刺激が与えられる、従って血流の流れは活発に活性化するので健康対策には一石二鳥にも三鳥にもなる。３）図面
【図面の簡単な説明】
【０００２】
【図１】は本発明の構造を示す全体斜視図
【図２】は本発明を着用した前方から見た正面図。
【図３】は本発明を着用した後方から見た正面図。
【図４】は本発明を着用して散歩し、足上がりが楽チンなので楽しくなり鼻歌を歌いながら散歩をしている斜視図（点線部は内部構造斜視図）。
【符号の説明】
【０００３】（１）ズボン  （２）ゴム又はバネ  （３）  （４）布等のトンネル  （５）はゴム又はバネの伸縮方向  （６）上着  （７）杖  （８）ベルト、伸縮物などの長短調整装置  （９）ベルト  （１０）ベルト案内溝
【図１】
2007229432.tif 000003
【図２】
2007229432.tif 000004
【図３】
2007229432.tif 000005
【図４】
2007229432.tif 000006
(57)【要約】【課題】  唾・汗等でむずがゆくなく、マスクと皮膚との接触感が良く、掛け外し・収納が簡単で長期間使用できる衛生的なマスクを可能とする。【解決手段】  マスクの素材は合成樹脂性とし、声を出しやすくするため口・鼻の前をわずかに開け、また唾受を備えたマスクとし、他人等への呼気・唾の飛散を効果的に防止し、衛生上安全・安心であり、清潔な印象を与えるとともに、マスク装着者の顔全体の表情が分かり意思疎通も積極的に図れる透明性のマスクとした。  またマスクの装着感が良く、眼鏡的に掛け外しが簡単で、耳に掛けるつるを折りたたみ可能とし収納が容易で汚れの洗浄も簡単にでき長期間使用が可能で資源の無駄使いにならないマスクとした。【選択図】    図１
2007229279.tif 000002
【特許請求の範囲】
【請求項１】
合成樹脂性マスク本体の下部を内側に丸く折り曲げた唾受けを備え、マスクを下顎に眼鏡感覚で当て、口・鼻の前をわずかに開け、マスク本体とつるのつなぎは蝶番的形式として、つるを耳に掛け装着し、かつつるを折りたたみ可能とした呼気等の飛散防止マスク。
【発明の詳細な説明】
【技術分野】
【０００１】
本発明は、呼気等の飛散を防止するマスクに関するものである。
【背景技術】
【０００２】
従来の技術としては、マスクが顔面から離間しており簡単に装着できて、他人への呼気の飛散を防止するマスクが開示されている。
【０００３】
しかし、従来のマスクは呼気の飛散を防止する利点はあるが、顎全体に当て固定して装着するため皮膚と密着し、唾・汗等の汚れによる不衛生、むずがゆく掛け心地が悪い問題点があった。かつ、ゴム・紐で耳に掛けるため、掛け外しが簡便でない欠点があった。
【０００４】
【特許文献１】特開２００５−１８５３８１号公報
【発明の開示】
【発明が解決しようとする課題】
【０００５】
解決しようとする問題点は、顎全体に当て固定し装着ているため皮膚と密着し、唾・汗等で不衛生、むずがゆく装着感が悪い、かつ掛け外しが簡単でない点である。
【課題を解決するための手段】
【０００６】
本発明は、マスクの素材は合成樹脂性とし、衛生的で装着感が良く、簡単に掛け外しができることを特徴とする。
【発明の効果】
【０００７】
本発明のマスクは、素材は合成樹脂性のため、口の前が開いても他人、物への呼気・唾の飛散を効果的に防止し、衛生上安全・安心できる。また、清潔な印象を与えるとともに透明なマスクは顔全体の表情が分かり意思疎通も積極的に図れる。
また、装着感がよく掛け外しも簡単で、折りたたみ可能としたため収納が容易である。かつ簡単に洗浄でき使い捨てでなく長期間使用でき資源の無駄使いにならない。
【発明を実施するための最良の形態】
【０００８】
呼気・唾の飛散防止、衛生上安全・安心、装着感が良く掛け外しが簡単にするという目的を、合成樹脂性の素材で実現した。
【実施例】
【０００９】
図１は、本発明のマスクは、眼鏡感覚でつるを耳に掛け、下顎に当てた斜視図を示す。図中1はマスク、２はマスク本体、３は唾受、４はマスク本体を耳に掛け装着するつる、５はつるを折りたたむための蝶番の構造である。
図２は、マスク本体２が口、鼻の前をわずかに開け、つる４を耳に掛けた側面図を示す。
図２中、唾受３は、うつむいたとき装着しているマスクが下顎の下唇に引っ掛かり外れない構造である。
図３は、図１、図２中マスク本体の２の下部を内側に丸く折り曲げた唾受３、つる４をマスク本体２の内側に眼鏡方式で折りたたむための蝶番５の内側を示す。
【００１０】
飲食、調理、デパート、スーパーストア、医療及び介護関係での用途が広く発明の効果がある。
【００１１】
使用者は、口・鼻の前が開放的あるため、呼気・唾の飛散を気にすることなく、また息苦しくなく極自然に会話ができる。透明性のマスクは、第三者から使用者の顔かたちが分かり安全・安心感と衛生的で清潔感を与える利点がある。
【００１２】
使用者は、装着感が良く、掛け外しが簡単、またつる折りたたみ可能としたため収納が容易であり、かつ洗浄も簡単で使い捨てでなく長期間使用可能で資源の無駄使いにならない利点がある。
【図面の簡単な説明】
【００１３】
【図１】マスク装着実施の姿を示した斜視図である。
【図２】マスク装着実施の姿を示した側面図である。
【図３】マスクの唾受、蝶番を示した内側図である。
【符号の説明】
【００１４】
１…マスク
２…マスク本体
３…唾受
４…つる
５…蝶番
【図１】
2007229279.tif 000003
【図２】
2007229279.tif 000004
【図３】
2007229279.tif 000005
(57)【要約】【課題】鋼帯エッジ部に残るかえりを完全に除去する。【解決手段】鋼帯Ｓのエッジ部に対して側面から回転ブラシを接触させる第１段のかえり取り手段２の下流側に、鋼帯Ｓに対して幅方向で水平面から所定角度に、かつ進行方向に対して所定角度に超硬合金の板状体６１、６２を押し付ける第２のかえり取り手段６を設ける。【選択図】図１
2007229836.tif 000002
【特許請求の範囲】
【請求項１】
ライン方向に水平移動する帯鋼（Ｓ）のエッジ部に対して側面から回転ブラシを接触させる第１段のかえり取り手段（２）の下流側に、帯鋼（Ｓ）に対して幅方向で水平面から所定角度に、かつ進行方向に対して所定角度に超硬合金の板状体（６１、６２）を押し付ける第２段のかえり取り手段（６）を設けたことを特徴とする帯鋼エッジ部のかえり取り装置。
【発明の詳細な説明】
【技術分野】
【０００１】
本発明は、帯鋼処理ラインにおけるエッジ部のかえり取り装置に関する。
【背景技術】
【０００２】
所定幅に切断された帯鋼を管状に成形し、端部を溶接して電縫鋼管、スパイラル鋼管などの溶接鋼管を製造することが行なわれている。帯鋼はエッジ部を接合させて溶接するので、正確な板幅寸法に仕上げ、かつ適切な開先を形成するため、エッジ部に対して再加工を行なうのが普通である。この加工をサイドトリマで行なうと、剪断力によってエッジ部がだれて造管上好ましくないので、通常、エッジミラーなどの機械で切削する。この際、エッジ部には「バリ」と呼ばれるとげ状のものが残るので、これを除去することが必要である。この目的のため、従来よりエッジ部に対して側面から回転ブラシを接触させてかえりを除去することが行なわれているが、これだけではかえりが完全には除去できず、溶接不良などの原因となり、解決が望まれていた。
【発明の開示】
【発明が解決しようとする課題】
【０００３】
本発明は、従来からの回転ブラシを第１段のかえり取り手段とし、その下流側にさらに第２段のかえり取り手段を設けることにより、かえりを完全に除去するようにすることを目的とする。
【課題を解決するための手段】
【０００４】
本発明は、ライン方向に水平移動する帯鋼のエッジ部に対して側面から回転ブラシを接触させる第１段のかえり取り手段の下流側に、帯鋼に対して幅方向で水平面から所定角度に、かつ進行方向に対して所定角度に超硬合金の板状体を押し付ける第２段のかえり取り手段を設けたことを特徴とする帯鋼エッジ部のかえり取り装置である。
【発明の効果】
【０００５】
本発明によれば、かえりが完全に除去されるため、残留かえりに起因する溶接鋼管の欠陥が減少し、生産性が向上するという、すぐれた効果を奏する。
【発明を実施するための最良の形態】
【０００６】
本発明の望ましい実施例を図面により説明する。
図１は実施例の帯鋼エッジ部のかえり取り装置を示す正面図、図２はその片側のみを示す平面図で、１は全体を組み込んだハウジング、２は第１段のかえり取り手段である回転ブラシ、３、５は帯鋼Ｓを誘導する水平ローラ、４は同じく縦ローラ、６は第２段のかえり取り手段である板状体押し付け装置である。
【０００７】
矢印で示したライン方向に水平移動する帯鋼Ｓのエッジ部に対して、側面から接触する回転ブラシ２、縦ローラ４、そして板状体押し付け装置６はいずれも共通のハウジング１に取り付けられ、帯鋼Ｓの幅に追随して幅方向に移動可能である。回転ブラシ２は図２に矢印で示したようにさらに単独でも幅方向に移動でき、接触の程度を調整可能である。板状体押し付け装置６は回転ブラシ２の下流側に設けられ、帯鋼のエッジ部に対して超硬合金の板状体を押し付けるようになっている。
【０００８】
図３は板状体61の帯鋼Ｓに対する姿勢（向き）を説明する斜視図である。帯鋼Ｓに対して幅方向で水平面から所定角度αに、かつ進行水平方向に対して所定角度βに超硬合金の板状体を押し付ける。角度α、βは適宜調整しながら最適値を見出せばよいが、およその目標はともに45度である。
図４は板状体押し付け装置６の詳細を示す帯鋼Ｓの進行方向からみた正面図で、61、62は板状体、63はこれらを取り付けた支持ヘッド、64は軸、65はばね、66はハウジング１に取り付けられる取り付けブロックである。帯鋼Ｓの上下両方の角に当るよう、板状体61、62は上下対称に支持ヘッド63に取り付けるのがよい。支持ヘッド63は軸64を介して取り付けブロック66に対し幅方向に進退自在となっており、ばね64によって帯鋼Ｓに押し付けられる。
【０００９】
板状体61、62は例えば幅25.4ｍｍ、50.8ｍｍ、厚さ6.35ｍｍの板で、材質はエッジミラーのバイトと同じ超硬合金である。板に当る面に刃のような角度をつけてもよい。
とげ状のかえりは、エッジミラーの切削の際に生じた切り粉が鋼帯のエッジ部の角の部分につながっているために残っているので、本発明によって板状体がこの角部に連続して接触することで完全にそぎ落とされ、かえりの残らない良好なエッジ部が実現する。
【図面の簡単な説明】
【００１０】
【図１】本発明実施例のかえり取り装置を示す正面図である。
【図２】本発明実施例のかえり取り装置の片側を示す平面図である。
【図３】実施例における板状体の姿勢を説明する斜視図である。
【図４】実施例の板状体押し付け装置の詳細を示す正面図である。
【符号の説明】
【００１１】
１    ハウジング
２    回転ブラシ（第１段かえり取り手段）
３、５    水平ローラ
４    縦ローラ
６    板状体押し付け装置（第２段かえり取り手段）
６１、６２    板状体
６３    支持ヘッド
６４    軸
６５    ばね
６６    取り付けブロック
Ｓ    帯鋼
【図１】
2007229836.tif 000003
【図２】
2007229836.tif 000004
【図３】
2007229836.tif 000005
【図４】
2007229836.tif 000006
(57)【要約】【課題】  ２足移動体のステップをテンキー入力し、それに対応したステップ結果を確認できる装置を提供する。【解決手段】  構成要素はコンピュータのハードウェアとソフトウェアである。ソフトウェアは、テンキー入力順とステップを対応させるデータとテンキー入力受付機能、ステップ判定機能、ステップ結果出力機能のプログラムで構成する。２足移動体のステップにテンキーを順に押すことを割り当て、テンキー位置によって足の左右（回転時は両足）、歩幅、踏み出し方向、足の向き（回転時）を判定する。ステップ結果を足跡や床面パターン移動、または２足移動体を模した画像や視界変化の出力で行う。【選択図】図１０
2007229909.tif 000002
【特許請求の範囲】
【請求項１】
２足移動体の歩行ステップをテンキー入力する装置であり、構成要素はコンピュータのハードウェアとソフトウェアである。ソフトウェアは、テンキー入力順とステップを対応させるデータとテンキー入力受付機能、ステップ判定機能のプログラムで構成する。テンキーは、横３×縦３＋１配列になっているものとする。２足移動体のステップにテンキー順を割り当てる。歩幅はテンキー位置の間隔によって表す。踏み出し方向は、横３×縦３の中央からの８方向で表す。足の向きを入力する際のシフト機能を横３×縦３＋１配列の＋１のキーに割り当てる。足の向きは回転角を横３×縦３の中央からの８方向で表す。
【請求項２】
請求項１にステップ結果出力機能プログラムを追加し、足跡や床面パターン移動、または２足移動体を模した画像や視界変化の出力によってステップ結果を確認できる装置。
【発明の詳細な説明】
【技術分野】
【０００１】  ２足移動体の歩行ステップ制御に関し、特にコンピュータのテンキー入力によるものである。
【背景技術】
【０００２】  『産業ロボット用教示装置およびその入力方法』特開２００３−８０４８３（Ｐ２００３−８０４８３Ａ）として、テンキーとシフトの役割をするキーで数字と記号を入力する方法がある。
【特許文献１】  特開２００３−８０４８３（Ｐ２００３−８０４８３Ａ）
【発明の開示】
【発明が解決しようとする課題】
【０００３】  ２足移動体の歩行ステップをテンキー入力し、それに対応したステップを確認できる装置を提供する。
【課題を解決するための手段】
【０００４】  構成要素はコンピュータのハードウェアとソフトウェアである。ソフトウェアは、テンキー入力順とステップを対応させるデータとテンキー入力受付機能、ステップ判定機能、ステップ結果出力機能のプログラムで構成する。【０００５】  テンキーは、横３×縦３＋１配列になっているものとする。２足移動体のステップにテンキー入力順を割り当てる。歩幅はテンキー位置の間隔によって表す。踏み出し方向は、横３×縦３の中央からの８方向で表す。足の向きを入力する際のシフト機能を横３×縦３＋１配列の＋１のキーに割り当てる。足の向きは回転角を横３×縦３の中央からの８方向で表す。【０００６】  ステップ結果を足跡や床面パターン移動、または２足移動体を模した画像や視界変化の出力で行う。
【発明の効果】
【０００７】  ２足移動体の歩行制御に際し、実際のステップに合わせた位置とシーケンスで入力できるので操作を覚えやすい。片手でも操作できるので、利用場所の制約が少ない。
【発明を実施するための最良の形態】
【０００８】  テンキー入力順とステップを対応させるデータ項目として、識別子、キー１、キー２、キー３、左右両足の別、歩幅、方向のパターンを登録し、ステップ対応データとする。ここでキーの後ろ数字は、キー入力順、歩幅は、短い、長い、短いの半分の別を表す。方向は左右両足の別が左右どちらか片方の場合、踏み出し方向とする。ただし、歩幅がなしの場合、片方の足の向きに方向を加算する。左右両足の別が両足の場合、両足の足の向きに方向を加算する。回転の方向は、シフト機能キー１回押下で右、２回押下で左とする。【０００９】  足の向きによって、ステップ対応データの方向を更新して、キー位置と踏み出し方向を対応させる。【００１０】  入力バッファーとして、今回入力、前回入力、前々回入力の３つを用意する。入力バッファーを初期化する。テンキー入力値を入力バッファーに保持する。入力の都度、キー１、キー２、キー３と比較し、すべてが合致したステップ対応データより、左右両足の別、歩幅、方向を得る。【００１１】  初期位置とそこからの足跡を表示し、ステップ結果出力とする。
【産業上の利用可能性】
【００１２】  二足移動体玩具の歩行制御に利用できる。社交ダンス教習に応用できる。
【図面の簡単な説明】
【００１３】
【図１】  典型的なコンピュータのハードウェア構成。
【図２】  テンキー配置例。
【図３】  テンキー入力ストローク例。
【図４】  ステップ対応データ構造。
【図５】  ステップ対応データ内容（１／２）
【図６】  ステップ対応データ内容（２／２）
【図７】  プログラムフローチャート（１／３）
【図８】  プログラムフローチャート（２／３）
【図９】  プログラムフローチャート（３／３）
【図１０】  発明を実施するための最良の形態での出力例。
【符号の説明】
【００１４】  １０プログラム、処理データ保持部、１１演算部、１２入力部、１３出力部、１４データ・プログラム保存部。
２０テンキー配置例、２１横３×縦３配列部分、２２＋１のキー部分、
２３横３×縦３配列の中央。
３０〜４１テンキー入力順の例。
４２ステップ対応データ構造、４３キー１、キー２、キー３の種類、４４左右両足の別の種類、４５歩幅の種類。
５０ステップ対応データ内容（１／２）、６０ステップ対応データ内容（２／２）。
７０、７１、７２、９２ページ外接続子、７３から９１識別子、
１００から１０７識別子、１０８から１１７識別子。
１２０発明を実施するための最良の形態での入出力例、１２１入力キー値、１２２入力バッファー状態、１２３ステップ結果出力領域（足跡）。
【図１】
2007229909.tif 000003
【図２】
2007229909.tif 000004
【図３】
2007229909.tif 000005
【図４】
2007229909.tif 000006
【図５】
2007229909.tif 000007
【図６】
2007229909.tif 000008
【図７】
2007229909.tif 000009
【図８】
2007229909.tif 000010
【図９】
2007229909.tif 000011
【図１０】
2007229909.tif 000012
(57)【要約】      （修正有）【課題】 エスカレータにおける踏段チェーンからの油の処理を簡便に行うことのできる油処理装置を提供する。【解決手段】前輪２と後輪６とを備えた複数の踏段１がチェーン１０で無端状に連結されて、該チェーンにより駆動され、該踏段が往路と帰路に亘って移動するエスカレータにおいて、該チェーンは前記前輪を挟み込むように配置され、前記往路側では前記前輪と前記後輪とを案内する一体型レール１１を設け、該レールには前記前輪の案内部と前記後輪の案内部との中間位置に、エスカレータ傾斜部の長手方向に亘って窪み１１ａを配置する。【選択図】図１
2007106580.tif 000002
【特許請求の範囲】
【請求項１】
前輪と後輪とを備えた複数の踏段がチェーンで無端状に連結されて、該チェーンにより駆動され、該踏段が往路と帰路に亘って移動するエスカレータにおいて、
該チェーンは前記前輪を挟み込むように配置され、前記往路側では前記前輪と前記後輪とを案内する一体型レールを設け、該一体型レールには長手方向に亘って窪みを備えたことを特徴とするエスカレータの油処理装置。
【請求項２】
前記窪みは、前記前輪の案内部と前記後輪の案内部との中間位置に配置したことを特徴とする請求項１に記載のエスカレータの油処理装置。
【発明の詳細な説明】
【技術分野】
【０００１】
本発明は、エスカレータの踏段チェーンから落下する油の適切な処理に関するものである。
【背景技術】
【０００２】
図３に示す従来のエスカレータにおいて、踏段１の前輪２の軸３には踏段チェーン４が取付けられており、前輪２にはレール５、後輪６にはレール７を別々に設けて、それぞれ独立に案内されるようになっている。
この中で、前輪用レール５には図４に示すように溝５ａを設け、一方後輪用レール７には図５に示すような溝７ａを設けて、チェーン４から落下する油がそれぞれの溝５ａ，７ａに溜まるように処理されることになる。
【特許文献１】特開２０００−１６９０６７号公報
【発明の開示】
【発明が解決しようとする課題】
【０００３】
ところで、踏段チェーン４が前輪２から外れた軸３の中間に取付けられる従来のような場合には、踏段チェーン４から流れる油の経路が軸３に沿って左右に分かれる結果、極めて複雑になるため、前輪用レール５や後輪用レール７それぞれに対策が必要になり、装置構成も煩雑になってしまう欠点があった。
【０００４】
本発明は、上記の点に鑑みなされたもので、踏段チェーンの配置を、前輪を挟み込むように工夫するととともに、レールの形状構成も格段にシンプルになすものである。
【課題を解決するための手段】
【０００５】
本発明は、前輪と後輪とを備えた複数の踏段がチェーンで無端状に連結されて、該チェーンにより駆動され、該踏段が往路と帰路に亘って移動するエスカレータにおいて、該チェーンは前記前輪を挟み込むように配置され、前記往路側では前記前輪と前記後輪とを案内する一体型レールを設け、該一体型レールには長手方向に亘って窪みを備えるものである。
【発明の効果】
【０００６】
油の流れる経路を一つに絞ることにより、レールの形状・構成も極めて簡便なものにできる効果を発揮する。
【発明を実施するための最良の形態】
【０００７】
前輪を挟むように踏段チェーンを配置して、傾斜部の長手方向に亘って窪みを備えた一体型レールで、前輪と後輪を案内する。
【実施例】
【０００８】
以下、本発明の一実施例について、図面を用いて説明する。図１は本発明に係る油処理装置の全体図、図２はこのレールの拡大図である。
【０００９】
図中、図３乃至図５と同一符号のものは同一のものを示すが、１０は本発明に係る踏段チェーンで、前輪２を挟み込むような形で軸３に取付けられている。１１は本発明に係るレールで、往路側の前輪２及び後輪６を案内する一体型をしており、一部（前輪２を案内する案内部と後輪６を案内する案内部との間の中間位置）には油を誘導する窪み１１ａが曲げ加工によって、エスカレータ傾斜部の長手方向に亘って形成されている。
【００１０】
したがって、油の流出経路が図１の矢印に示すように常に決まっており、窪み１１ａに適切に溜まって誘導されることになる。このような構成であれば、踏段チェーン１０から落下する油の流出経路を一つに絞ることができ、かつその経路上に油を適切に処理する窪み１１ａを設けているため、確実に油の処理を行うことができる。
【産業上の利用可能性】
【００１１】
本発明は、傾斜走行するエスカレータについて述べているが、同じく傾斜走行する動く歩道であっても適用することが可能である。
【図面の簡単な説明】
【００１２】
【図１】本発明に係る油処理装置の全体図である。
【図２】図１に示すレールの拡大図である。
【図３】従来のエスカレータの断面図である。
【図４】図３のＡ部詳細図である。
【図５】図３のＢ部詳細図である。
【符号の説明】
【００１３】
１ 踏段
２ 前輪
３ 軸
４，１０ 踏段チェーン
５，７，１１ レール
１１ａ レール１１の窪み
【図１】
2007106580.tif 000003
【図２】
2007106580.tif 000004
【図３】
2007106580.tif 000005
【図４】
2007106580.tif 000006
【図５】
2007106580.tif 000007
(57)【要約】      （修正有）【課題】安全で洩れを確実に防ぎ許容量一杯収容出来るゴミ袋を提供する。【解決手段】既販のゴミ袋に耳紐をつけることに依り許容量一杯のゴミを確実に安全に出せる耳紐付きゴミ袋である。【選択図】なし【特許請求の範囲】
【請求項１】
既販のゴミ袋各サイズに許容量一杯を収納した後紐付き耳があれば容易に結べて以前より簡単にゴミ出しが出来ると思います。要は袋に耳をつけて製造することです（例えばスーパーの買物袋のように）
【発明の詳細な説明】
【技術分野】市販のゴミ袋各サイズに製造過程から耳紐を付ける
【発明が解決しようとする課題】
ゴミ袋各サイズの許容量一杯を収納して最後の袋出をする時に紐で結ぶことに依って安全で確実に洩れのないゴミ出しが出来ると思います。
【課題を解決するための手段】
ゴミ袋製造段階で型枠の中に耳紐となる部分の設計をくみ入れること。
【発明の効果】
ゴミ袋出しの際紐で結ぶことに依り安全で確実に洩れを防ぎ許容量一杯が収納出来ると思います
2007106593.tif 000002
【手続補正書】
【提出日】平成18年2月15日(2006.2.15)
【手続補正１】
【補正対象書類名】明細書
【補正対象項目名】全文
【補正方法】変更
【補正の内容】
【発明の詳細な説明】
【技術分野】
【０００１】既販のゴミ袋各サイズに製造過程から耳紐を付ける
ゴミ袋の製造段階で型枠の中に耳紐となる部分の設計を組み入れること．
【発明の効果】
【０００２】ゴミ袋を出す際に紐で結ぶことに依り安全で確実に洩れを防ぎ許容量一杯が収納出来ると思います．
【図面の簡単な説明】
【０００３】
【図１】上から見た図である
【図２】横から見た図である
【手続補正２】
【補正対象書類名】図面
【補正対象項目名】全図
【補正方法】追加
【補正の内容】
【図１】
2007106593.tif 000003
【図２】
2007106593.tif 000004
(57)【要約】【課題】筆記台に、角度を自在に保持できる目隠し板を装着する事により、記帳する手元を外の目線から遮ることを目的とした筆記を提供する。【解決手段】筆記台前方左右に、目隠し板装着用開閉軸を設け、其の軸を介し筆記台軸受けと、目隠し板軸受けとの間にバネ材を挟み、両軸を締め付ける事により、目隠し板を任意の角度に開閉保持出来る構造とした事を特徴とする目隠し板付き筆記台。【選択図】図  ２
2007106091.tif 000002
【特許請求の範囲】
【請求項１】
筆記台前方左右に目隠し板装着用開閉軸を設け、其の軸を介し筆記台軸受けと目隠し板軸受けとの間にバネ材挟み一体構造とすることにより、目隠し板を任意の角度に開閉保持できる構造としたことを特徴とする目隠し板付き筆記台。
【発明の詳細な説明】
【技術分野】
【０００１】本発明は、筆記台に任意の角度を保持できる目隠し板を設けた筆記用台に関するものである。
【背景技術】
【０００２】従来筆記台に、目隠し板の角度を自在に保持できる機能を装着した筆記台はなかった。
【発明の開示】
【発明が解決しようとする課題】
【０００３】其のために、次のような問題点があった。
（イ）街頭署名、慶弔時の受付署名記入時、記帳する手元を受付担当者等に見られて記入する状態では落ち着かず、署名記入が雑になりがちであった。
本発明は、これらの問題点を解決するためになされたものである。
【課題を解決するための手段】
【０００４】筆記台前方左右に、目隠し板装着用開閉軸を設け、その軸を介し筆記台軸受けと、目隠し板軸受けとの間にバネ材を挟み一体構造とすることにより目隠し板を任意角度に開閉保持できる。不使用時は折り畳み平らに収納できる。
【発明の効果】
【０００５】署名記入及び記帳するとき、記入する手元を本考案の目隠し板により、他の視線から遮る事ができ落ち着いて記帳できる。
【発明を実施するための最良の形態】
【０００６】以下、本発明の実施の形態について説明する。
（イ）筆記台（１）の前方左右に軸受け（３）を設け、その軸を介し開閉する目隠し板（２）を設ける。
（ロ）目隠し板の開閉角度を自在に保持出来るように、筆記台軸受と、目隠し板軸受けとの間にバネ材（４）を装着する。
（ハ）つまみ。（５）は、目隠し板開閉用。
本発明は以上のような構成で、これを使用するときは、つまみを持ち上げ目隠し板を任意の角度に開き使用する。
目隠し板により、記帳する手元を外の目線から遮る事が出来、落ち着いて記帳出来る。不使用のときは、折り畳み収納出来る。
【実施例】
【０００７】本考案の目隠し板には、名札差し込みスペースもあり、式場等で名前を表示でき、又、使用目的により（寿）等文字を書き込む事により会場の雰囲気を高める事ができる。
【図面の簡単な説明】
【０００８】
【図１】本発明の側面図
【図２】本発明の斜視図
【図３】本発明の筆記台を慶事に応用した例を示す正面図
【符号の説明】
【０００９】  １  筆記台
２  目隠し板
３  軸受け
４  バネ材
５  つまみ
６  筆記用具入れ
７  名札入れ
【図１】
2007106091.tif 000003
【図２】
2007106091.tif 000004
【図３】
2007106091.tif 000005
(57)【要約】      （修正有）【課題】本等のページが勝手にめくれたり、逆戻りしたりしないよう、また押さえ具で文字が見えなくならないようなページ押さえ具を提供する。【解決手段】四つの爪で本等の上下文字のない端を押さえ、勝手にページがめくれたり、逆戻りしたりしないようにしたページ押さえ具である。【選択図】図１
2007106094.tif 000002
【特許請求の範囲】
縦方向に伸縮する金具で本等を開いた状態ではさみつける。
金具に設けた４つの爪で本等の上下文字のないところを軽く押さえる。以上のようなページ押さえ具。
【発明の詳細な説明】
【発明の詳細な説明】
この発明は、本等のページ押さえ具に関するものである。
従来のページ押さえ具は、二つの爪で押さえるものが多く、従って文字の上を押さえる事もあり、押さえる力も弱かった。
本発明は、その欠点を除くためになされたもので、これを図面に基づいて説明すれば、縦方向に伸縮する金具（１）で本等を開いた状態ではさみつけ、金具の外側に設けた本等の厚みにより上下に移動できるアーム（２）の先に設けた爪（３）をページの上下に軽く乗せセットする。
爪は本等の上下、文字のない端に乗せるため、文字が見やすく、めくりやすい。ページをめくる側のアームはしっかりした素材、ページを納める側のアームは爪を押さえるとアームが外側へ逃げるように弾力性のある素材で造る。これでページが勝手にめくれたり逆戻りしたりすることがない。ページ押さえ具ができる。
【図面の簡単な説明】
【図１】本発明の平面図である。
【図２】本発明のめくる側の側面図である。
【図３】本発明の納める側の側面図である。
【符号の説明】
（１）伸縮金具
（２）アーム
（３）爪
【図１】
2007106094.tif 000003
【図２】
2007106094.tif 000004
【図３】
2007106094.tif 000005
(57)【要約】【課題】平滑かつ広面積のガラスに結露着霜防止処置を特に施すことなく、また温風等を二次的に当てることなく、結露着霜防止となるような材料ないし成形物を提供する。【解決手段】エラストマーの中に遠赤外線放出機能性鉱物粉末を全体の５重量％以上混合して本発明の結露着霜防止材とする。またその混合物に対し、さらに撥水材料を混合ないしコーティングする。さらに加えて、光触媒材料を配合ないしコーティングする。【選択図】図１
2007106976.tif 000002
【特許請求の範囲】
【請求項１】
エラストマーの中に遠赤外線放出機能性鉱物粉末を全体の５重量％以上混合して成ることを特徴とする結露着霜防止材。
【請求項２】
請求項１記載の混合物に、さらに撥水材料を混合ないしコーティングして成る結露着霜防止材。
【請求項３】
請求項１または請求項２記載の混合物に、さらに光触媒材料を配合ないしコーティングして成る結露着霜防止材。
【発明の詳細な説明】
【技術分野】
【０００１】この発明は、車や冷凍庫などにおける結露（くもり）や着霜（による付着）などを防止するための材料ないし成形物に関する。
【背景技術】
【０００２】自動車の窓ガラスには温度や湿度の変化によりよく結露するが、たとえわずかな結露（くもり）でも視界の妨げになり、運転の支障となることは、しばしば経験するところである。また寒冷時にはこれが着霜となり、ドアや窓ガラスがくっついて動かなくなるなどの事態になることもある。【０００３】このような結露或いは着霜があった場合は、車に装着されている温風ヒーターを作動させて、生成した露ないし霜を蒸発ないし融解させるのが従来の常套手段となっている。【０００４】或いは、ガラスに超撥水または超親水性の機能性素材をコーティングして、その表面で微小水粒の形成を不可能にする方法も、一部で実施されている。
【発明の開示】
【発明が解決しようとする課題】
【０００５】上記の在来技術で結露や着霜の防止はある程度できるものの、結露や着霜の後に温風ヒーターを作動させる場合は、大量に付着した露や霜が消失するまでには多くの時間がかかったり、寒冷時に更にクーラーの作動を要したりし、ガラスに機能性素材をコーティングする場合は、よほど高価な素材を施さない限り、頻繁に拭う度に剥離が進み効力を失うという問題点があった。【０００７】本発明はかかる問題点を解決するために、平滑かつ広面積のガラスに結露着霜防止処置を特に施すことなく、また温風のみに頼ることなく、結露着霜防止となるような材料ないし成形物を提供することを課題とする。
【課題を解決するための手段】
【０００８】上記問題点を解決するために、例えばシリコン、ポリウレタン、合成ゴムなどのエラストマー１の中に遠赤外線放出機能性鉱物粉末２を全体の５重量％以上混合して、本発明の結露着霜防止材Ａとする。【０００９】ここでいう遠赤外線放出機能性鉱物とは、普通の物質以上に遠赤外線を常温においてもよく放出するとされる鉱物のことであって、例えば、酸化鉄、酸化ジルコニウム、酸化クロム、酸化コバルト、黒鉛、オリビンサンド等が該当する。これらは自らのもつ温度から遠赤外線を優先的に輻射するだけでなく、外界から受ける様々な波長の赤外線のうちで遠赤外線、とりわけ波長５〜１５μ程度のものをよく反射する「遠赤外線色」をしている物質であるといえるものである。従ってこの「反射」も本発明でいう「放出」の意味に含ませるものとする。【００１０】試作によれば、上記の遠赤外線放出機能性鉱物粉末２は、上記エラストマーに対する混合率は８０重量％まで可能であり、最低５％で効果は現れるが、より大量に混合するほどその効果は顕著になる。【００１１】このような遠赤外線放出機能性鉱物粉末２を含んだ当該結露着霜防止材Ａを対象となるガラス窓等の近辺に配置すると、（温風吹付けと共に）結露や着霜は甚だ速やかに防止できることが判明し本発明に至った。【００１２】例えば上記結露着霜防止材Ａは、シーリング材として窓枠部に塗着したり、或いは後述のように成形品として空調機器の送風口付近に取付けたりして、直接ガラス表面に処置を施すことなく、離れた場所から作用効果を及ぼすことができるものである。【００１４】なお、上記の作用・効果を一層顕著にするために、上記の混合物にさらに撥水材料３を混合ないしコーティングするものとする。但し、使用するエラストマー１がシリコンゴムである場合は、それ自体が撥水材料でもあるから、特に別個に混合ないしコーティングするには及ばない。ただより高度な撥水性をもたせるものとして、フッ素樹脂等がある。【００１５】さらに、当該結露着霜防止材に酸化チタンのような光触媒材料４を混合ないしコーティングし、一層の付加価値をもたせることもできる。
【発明の効果】
【００１６】本発明によれば、自動車などでしばしば起こる僅かなくもり程度の結露であればわざわざ温風ヒーターを作動させるまでもなくこれを未然に防ぐことができ、温風を併用すればより速やかにそれが消失し、寒冷時にクーラーを要せず、ガラス自体に処置を施さないから耐久性があり、手間やコスト面で有利である。さらに寒冷時において窓ガラス等が着霜付着により動かなくなるのを防ぎ、また抗菌や汚染防止などの付加価値を併せ持たせるにも好都合であるなどの効果がある。
【発明を実施するための最良の形態】
【００１７】シリコンゴム３３Ｗ％、黒鉛８Ｗ％、オリビンサンド８Ｗ％、酸化鉄８Ｗ％、酸化マンガン６Ｗ％、ジルコン８Ｗ＆、酸化クロム３Ｗ％、酸化コバルト２Ｗ％、及び酸化チタン１０Ｗ％，からなるパテ状混合物を、自動車の窓ガラスの枠用として成形又はシーリング材とする。施工後は、例えば従来はほんの僅かにガラスが曇って光が散乱し視界が不明瞭になるような場合でも、全くその兆候がなく、クリアーな視界を維持できるものとなった。また甚だ霜が着きにくく、着霜してもガラスが付着して動かなくなるのを回避することができた。【００１８】必ずしも同じ成分組成である必要はないが、上記の混合物を、多数のレンコン状の空洞を有する柱状体に成形し、これを自動車、冷凍庫、その他空調機のダクトに直結する送風口付近、又はダクト上部に設置する。但し、該レンコン状の空洞の内壁は雌螺子螺旋状に形成しておくものとする。これによりかなり離れた場所にまで結露着霜防止効果が認められた。
【産業上の利用可能性】
【００１９】本発明の結露着霜防止材は、セラミックと異なり常温で低コストに生産でき、その製品形態も甚だバラエティーに富んでいて実施が容易であり、また効果も大きく市場のニーズも高いから、産業上の利用可能性は十分であるといえる。
【図面の簡単な説明】
【００２０】
【図１】本発明一例を概念的に示す拡大断面図
【符号の説明】
【００２１】  １……エラストマー
２……遠赤外線放出機能性鉱物粉末
３……撥水材料
４……光触媒材料
Ａ……結露着霜防止材
【図１】
2007106976.tif 000003